(57)【要約】【課題】通帳アプリケーションにおいて取り扱われる一つの口座の取引明細の一部を、元口座の口座情報を引き継ぐ別の口座の情報として繰り越すことが可能な情報処理装置およびプログラムを提供する。【解決手段】口座情報および明細データを含む通帳情報を記憶する記憶部と、通帳繰越指示に応じて、前記口座情報を引き継ぐ子口座情報と、前記明細データのうち指定された一部から形成される子口座明細データとを生成し、生成した前記子口座情報および前記子口座明細データを繰越通帳情報として前記記憶部に記憶するよう制御する繰越制御部と、前記子口座明細データを表示部に表示するよう制御する表示制御部と、を備える、情報処理装置。【選択図】図２
2015162146.tif 000002
【特許請求の範囲】
【請求項１】
口座情報および明細データを含む通帳情報を記憶する記憶部と、
通帳繰越指示に応じて、前記口座情報を引き継ぐ子口座情報と、前記明細データのうち指定された一部から形成される子口座明細データとを生成し、生成した前記子口座情報および前記子口座明細データを繰越通帳情報として前記記憶部に記憶するよう制御する繰越制御部と、
前記子口座明細データを表示部に表示するよう制御する表示制御部と、
を備える、情報処理装置。
【請求項２】
前記表示制御部は、前記記憶部に記憶される通帳情報または繰越通帳情報のうち、選択された通帳情報または繰越通帳情報を前記表示部に表示する、請求項１に記載の情報処理装置。
【請求項３】
前記繰越通帳情報は、前記通帳情報の表紙画像を引き継ぐ、請求項１または２に記載の情報処理装置。
【請求項４】
前記繰越通帳情報は、指定された画像に前記通帳情報の口座情報から引き継いだ子口座情報を重畳表示した表紙画像を設定する、請求項１または２に記載の情報処理装置。
【請求項５】
前記繰越制御部は、前記通帳情報の明細データのうち、日付により指定された範囲の明細データから形成される子口座明細データを生成する、請求項１〜４のいずれか１項に記載の情報処理装置。
【請求項６】
前記繰越制御部は、前記通帳情報の明細データにおいて指定された位置を境にして昇順／降順の明細データから形成される子口座明細データを生成する、請求項１〜４のいずれか１項に記載の情報処理装置。
【請求項７】
前記繰越制御部は、前記通帳情報の明細データのうち、指定された取引内容、取引金額、または備考欄のキーワードに基づいて抽出される一部の明細データから形成される子口座明細データを生成する、請求項１〜４のいずれか１項に記載の情報処理装置。
【請求項８】
前記表示制御部は、前記通帳情報の表紙画像を表示した際に、前記表紙画像に対する所定の操作に応じて、前記繰越通帳情報を表示するためのボタンを表示する、請求項１〜７のいずれか１項に記載の情報処理装置。
【請求項９】
前記表示制御部は、前記記憶部に記憶される前記通帳情報または前記繰越通帳情報を選択するための選択画像を表示する、請求項１〜８のいずれか１項に記載の情報処理装置。
【請求項１０】
前記選択画像には、前記通帳情報の表紙画像および前記繰越通帳情報の表紙画像が選択可能に表示される、請求項９に記載の情報処理装置。
【請求項１１】
コンピュータを、
口座情報および明細データを含む通帳情報を記憶する記憶部と、
通帳繰越指示に応じて、前記口座情報を引き継ぐ子口座情報と、前記明細データのうち指定された一部から形成される子口座明細データとを生成し、生成した前記子口座情報および前記子口座明細データを繰越通帳情報として前記記憶部に記憶するよう制御する繰越制御部と、
前記子口座明細データを表示部に表示するよう制御する表示制御部と、
として機能させる、プログラム。
【請求項１２】
前記表示制御部は、前記記憶部に記憶される通帳情報または繰越通帳情報のうち、選択された通帳情報または繰越通帳情報を前記表示部に表示する、請求項１１に記載のプログラム。
【請求項１３】
前記繰越通帳情報は、前記通帳情報の表紙画像を引き継ぐ、請求項１１または１２に記載のプログラム。
【請求項１４】
前記繰越通帳情報は、指定された画像に前記通帳情報の口座情報から引き継いだ子口座情報を重畳表示した表紙画像を設定する、請求項１１または１２に記載のプログラム。
【請求項１５】
前記繰越制御部は、前記通帳情報の明細データのうち、日付により指定された範囲の明細データから形成される子口座明細データを生成する、請求項１１〜１４のいずれか１項に記載のプログラム。
【請求項１６】
前記繰越制御部は、前記通帳情報の明細データにおいて指定された位置を境にして昇順／降順の明細データから形成される子口座明細データを生成する、請求項１１〜１４のいずれか１項に記載のプログラム。
【請求項１７】
前記繰越制御部は、前記通帳情報の明細データのうち、指定された取引内容、取引金額、または備考欄のキーワードに基づいて抽出される一部の明細データから形成される子口座明細データを生成する、請求項１１〜１４のいずれか１項に記載のプログラム。
【請求項１８】
前記表示制御部は、前記通帳情報の表紙画像を表示した際に、前記表紙画像に対する所定の操作に応じて、前記繰越通帳情報を表示するためのボタンを表示する、請求項１１〜１７のいずれか１項に記載のプログラム。
【請求項１９】
前記表示制御部は、前記記憶部に記憶される前記通帳情報または前記繰越通帳情報を選択するための選択画像を表示する、請求項１１〜１８のいずれか１項に記載のプログラム。
【請求項２０】
前記選択画像には、前記通帳情報の表紙画像および前記繰越通帳情報の表紙画像が選択可能に表示される、請求項１９に記載のプログラム。
【発明の詳細な説明】
【技術分野】
【０００１】
本発明は、情報処理装置およびプログラムに関する。
【背景技術】
【０００２】
従来から、銀行などの金融機関では、口座の開設時において紙の通帳を発行し、利用者に提供している。このような紙の通帳の発行の他、近年では、紙の通帳に記載される取引明細の内容を、例えばＰＣ（Personal Computer）、タブレット端末、スマートフォン等の情報処理装置の表示画面に提示し、利用者がいつでもどこでも確認できるようにする電子通帳システムの技術が提案されている。
【０００３】
ここで、一般的に、電子通帳システム（通帳アプリケーション）において、利用者の情報処理装置は、定期的に通帳の明細データをインターネットバンキングからダウンロードして情報処理装置内に保存し、表示部に表示する。このようにダウンロードした明細データを情報処理装置内に保存していくことで、利用者は一つの口座の明細情報を長期間（例えば複数年）に亘って一つの通帳で明細データを閲覧することができる。
【０００４】
また、通帳アプリケーションの技術に関し、例えば下記特許文献１では、ＰＣ上において通帳のイメージを用いて取引履歴の表示を行う技術が提案されている。また、下記特許文献２では、取引記録を一定期間毎に別ファイルにする技術が記載され、指定に応じて表示する技術が提案されている。
【０００５】
また、下記特許文献３では、ドキュメントファイリング装置の技術に関し、複数の表紙データを表示して、選択された表紙データに対応するファイルデータを表示する技術が提案されている。また、下記特許文献４では、バンキングシステムの技術に関し、一定期間経過した取引明細を別ファイルに移動する技術が提案されている。
【先行技術文献】
【特許文献】
【０００６】
【特許文献１】特開２００１−２８３２８９号公報
【特許文献２】特開平１１−１９５１７４号公報
【特許文献３】特開平８−３０６４１号公報
【特許文献４】特開平７−１２９６９５号公報
【発明の概要】
【発明が解決しようとする課題】
【０００７】
しかしながら、上述したように長期間に亘って蓄積され続けた明細データは、時には数百ページにおよび、確認したい取引明細を探すことが手間であった。
【０００８】
この場合、通帳アプリケーションが有する「ソート機能」を利用して、明細データを日付の新しい順や古い順に並び替えて表示することで、最新の明細データや最古の明細データをすぐに閲覧することができる。しかし、膨大な総数の中間に位置する明細データを閲覧したい場合には、相当数のページをめくる操作を行わなければならず、確認したい明細データを探し出す利用者の負担を軽減させることはできない。
【０００９】
また、通帳アプリケーションが有する「明細削除機能」を利用して、不要となった明細データや古い明細データを削除することで通帳の総ページ数を削減し、確認したい明細データを短時間で探し出すことができる。しかし、「明細削除機能」によって削除した明細データは永久的に削除されてしまい、復元することができないので、容易には削除できず、本機能は有効活用されていなかった。
【００１０】
そこで、本発明は、上記問題に鑑みてなされたものであり、本発明の目的とするところは、通帳アプリケーションにおいて取り扱われる一つの口座の取引明細の一部を、元口座の口座情報を引き継ぐ別の口座の情報として繰り越すことが可能な、新規かつ改良された情報処理装置およびプログラムを提供することにある。
【課題を解決するための手段】
【００１１】
上記課題を解決するために、本発明のある観点によれば、口座情報および明細データを含む通帳情報を記憶する記憶部と、通帳繰越指示に応じて、前記口座情報を引き継ぐ子口座情報と、前記明細データのうち指定された一部から形成される子口座明細データとを生成し、生成した前記子口座情報および前記子口座明細データを繰越通帳情報として前記記憶部に記憶するよう制御する繰越制御部と、前記子口座明細データを表示部に表示するよう制御する表示制御部と、を備える、情報処理装置が提供される。
【００１２】
また、前記表示制御部は、前記記憶部に記憶される通帳情報または繰越通帳情報のうち、選択された通帳情報または繰越通帳情報を前記表示部に表示してもよい。
【００１３】
また、前記繰越通帳情報は、前記通帳情報の表紙画像を引き継いでもよい。
【００１４】
また、前記繰越通帳情報は、指定された画像に前記通帳情報の口座情報から引き継いだ子口座情報を重畳表示した表紙画像を設定してもよい。
【００１５】
また、前記繰越制御部は、前記通帳情報の明細データのうち、日付により指定された範囲の明細データから形成される子口座明細データを生成してもよい。
【００１６】
また、前記繰越制御部は、前記通帳情報の明細データにおいて指定された位置を境にして昇順／降順の明細データから形成される子口座明細データを生成してもよい。
【００１７】
また、前記繰越制御部は、前記通帳情報の明細データのうち、指定された取引内容、取引金額、または備考欄のキーワードに基づいて抽出される一部の明細データから形成される子口座明細データを生成してもよい。
【００１８】
また、前記表示制御部は、前記通帳情報の表紙画像を表示した際に、前記表紙画像に対する所定の操作に応じて、前記繰越通帳情報を表示するためのボタンを表示してもよい。
【００１９】
また、前記表示制御部は、前記記憶部に記憶される前記通帳情報または前記繰越通帳情報を選択するための選択画像を表示してもよい。
【００２０】
また、前記選択画像には、前記通帳情報の表紙画像および前記繰越通帳情報の表紙画像が選択可能に表示されてもよい。
【００２１】
また、上記課題を解決するために、本発明の別の観点によれば、コンピュータを、口座情報および明細データを含む通帳情報を記憶する記憶部と、通帳繰越指示に応じて、前記口座情報を引き継ぐ子口座情報と、前記明細データのうち指定された一部から形成される子口座明細データとを生成し、生成した前記子口座情報および前記子口座明細データを繰越通帳情報として前記記憶部に記憶するよう制御する繰越制御部と、前記子口座明細データを表示部に表示するよう制御する表示制御部と、として機能させる、プログラムが提供される。
【発明の効果】
【００２２】
以上説明したように本発明によれば、通帳アプリケーションにおいて取り扱われる一つの口座の取引明細の一部を、元口座の口座情報を引き継ぐ別の口座の情報として繰り越すことができる。
【図面の簡単な説明】
【００２３】
【図１】本実施形態による電子通帳システムの基本構成について説明するための図である。
【図２】本実施形態による情報処理装置の構成を示した機能ブロック図である。
【図３】口座ＤＢに記憶されている口座データの一例を示す図である。
【図４】繰越通帳管理ＤＢに記憶されている繰越通帳管理データの一例を示す図である。
【図５】本実施形態による繰越通帳の生成動作処理を示すフローチャートである。
【図６】メニュー画像の表示例を示した説明図である。
【図７】取引明細画像の表示例を示した説明図である。
【図８】繰越期間入力画像の表示例と表紙設定画像の表示例を示した説明図である。
【図９】通帳名入力画像の表示例、確認画像の表示例、および完了画像４５４の表示例を示した説明図である。
【図１０】未繰越時の銀行明細ＤＢに記憶されている繰越元通帳（親通帳）の明細データ例を示す図である。
【図１１】一部繰越後の銀行明細ＤＢに記憶されている繰越元通帳（親通帳）の明細データ例を示す図である。
【図１２】繰越明細（１）ＤＢに記憶されている繰越明細データ例を示す図である。
【図１３】未繰越時の銀行明細ＤＢに記憶されている繰越元通帳（親通帳）の明細データ例を示す図である。
【図１４】一部繰越後の銀行明細ＤＢに記憶されている繰越元通帳（親通帳）の明細データ例を示す図である。
【図１５】本実施形態による繰越通帳の表示動作処理を示すフローチャートである。
【図１６】表紙画像の表示例（表紙画像）を示した説明図である。
【図１７】変形例１によるメニュー画像の他の表示例を示した説明図である。
【図１８】変形例２によるメニュー画像の他の表示例を示した説明図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
また、本明細書及び図面において、実質的に同一の機能構成を有する複数の構成要素を、同一の符号の後に異なるアルファベットを付して区別する場合もある。
【００２６】
また、以下に示す順序に従って当該「発明を実施するための最良の形態」を説明する。
１．背景
２．電子通帳システムの基本構成
３．実施形態の詳細な説明
３−１．構成
３−２．動作
４．変形例
５．まとめ
【００２７】
＜＜１．背景＞＞
従来、銀行などの金融機関では、口座の開設時において紙の通帳を発行し、利用者に提供している。利用者は、例えば金融機関に設置されたＡＴＭ（Automated Teller Machine）において記帳を行うことにより、取引の明細を通帳に印字させることができる。
【００２８】
また、近年、紙の通帳に記載される取引明細の内容を、ＰＣやスマートフォン等の情報処理装置の表示画面に提示して、利用者がいつでもどこでも確認できるようにすることができる。
【００２９】
しかしながら、長期間に亘ってインターネットバンキングから明細データをダウンロードして保存し続けている場合、情報処理装置に保存される明細データの量が膨大になり、表示される取引明細画像のページが時には数百ページにもおよび、確認したい取引明細を探す手間が利用者にとって負担であった。
【００３０】
そこで、上記事情を一着眼点にして本発明の実施形態による情報処理装置１０を創作するに至った。本実施形態による情報処理装置１０は、通帳アプリケーションにおいて取り扱われる一つの口座の取引明細の一部を、元口座の口座情報を引き継ぐ別の口座の情報として繰り越すことが可能である。
【００３１】
＜＜２．電子通帳システムの基本構成＞＞
本発明は、一例として「３．実施形態の詳細な説明」において詳細に説明するように、多様な形態で実施され得る。以下では、まず、本実施形態による電子通帳システムの基本構成について図１を参照して説明する。
【００３２】
図１に示したように、本実施形態による電子通帳システムは、情報処理装置１０、通信網１２、専用網１４、およびＩＢサーバ２０を含む。
【００３３】
＜２−１．情報処理装置１０＞
情報処理装置１０は、例えば無線通信により、通信網１２に接続可能な装置である。この情報処理装置１０は、例えば、スマートフォンなどの携帯電話、タブレット端末、ＰＤＡ（Personal Digital Assistant）、ＰＣなどであってもよい。
【００３４】
また、情報処理装置１０のハードウェア構成としては、ＣＰＵ（Central Processing Unit）、ＲＯＭ（Read Only
Memory）、およびＲＡＭ（Random Access Memory）が内部バスを介して入出力インターフェースに接続され、入出力インターフェースには入力装置、出力装置、ＨＤＤ（Hard Disk Drive）、およびネットワークインターフェースが接続される構成を有する。
【００３５】
＜２−２．通信網１２＞
通信網１２は、通信網１２に接続されている装置から送信される情報の無線、または有線の伝送路である。例えば、通信網１２は、インターネット、電話回線網、衛星通信網などの公衆回線網や、Ｅｔｈｅｒｎｅｔ（登録商標）を含む各種のＬＡＮ（Local Area Network）、ＷＡＮ（Wide Area Network）などを含んでもよい。また、通信網１２は、ＩＰ−ＶＰＮ（Internet Protocol-Virtual Private Network）などの専用回線網を含んでもよい。
【００３６】
＜２−３．専用網１４＞
専用網１４は、金融機関のネットワークであり、例えばＩＰ−ＶＰＮにより構成される。
【００３７】
＜２−４．ＩＢサーバ２０＞
ＩＢサーバ２０は、インターネットバンキングシステム（銀行システム２）を管理する装置である。
【００３８】
また、ＩＢサーバ２０は、口座番号ごとに取引内容の明細データが記憶されている明細ＤＢ２１に対するデータの登録や抽出など、明細データを管理する。また、ＩＢサーバ２０は、利用者からのアクセスに応じて明細データを明細ＤＢ２１から抽出して送信する。この際、ＩＢサーバ２０は、所定の認証方式により、口座番号ごとのログイン用パスワード等を用いて認証する。
【００３９】
明細ＤＢ２１は、例えば利用者の口座番号と、口座番号に対応づけて登録された取引内容の明細データ（例えば取引日時、口座番号、取引種別、取引金額など）が記録されたデータベースである。
【００４０】
なお、ＩＢサーバ２０、および明細ＤＢ２１は、別々の装置として構成されてもよいし、ＩＢサーバ２０が明細ＤＢ２１を内部に含んでもよい。
【００４１】
さらに、ＩＢサーバ２０は、預金管理や、口座管理等を行うホストコンピュータとしても機能し得る。例えば、ＩＢサーバ２０は、インターネットバンキングシステムにおいて利用者により指示された入金や振込などの金銭取引（勘定の取引処理）を実行する。また、ＩＢサーバ２０は、口座番号、暗証番号、氏名、住所、年齢、生年月日、電話番号、職業、家族構成、年収、預金残高などの顧客情報（口座の元帳）を管理する。
【００４２】
＜２−５．中継サーバ３０＞
中継サーバ３０は、通信網１２と専用網１４とを接続する装置である。例えば、中継サーバ３０は、通信網１２から専用網１４へ送信されるデータに関して、金融機関のシステム（銀行システム２）において処理可能な形式にデータを加工する。また、中継サーバ３０は、専用網１４から通信網１２へ送信されるデータに関して、情報処理装置１０において処理可能な形式にデータを加工する。
【００４３】
＜＜３．実施形態の詳細な説明＞＞
＜３−１．構成＞
以上、本実施形態による電子通帳システムの基本構成について説明した。続いて、本実施形態による構成について詳細に説明する。
【００４４】
図２は、本実施形態による情報処理装置１０の構成を示した機能ブロック図である。図２に示したように、情報処理装置１０は、制御部１００、通信部１２０、操作表示部１２２、および記憶部１２４を有する。
【００４５】
［３−１−１．制御部１００］
制御部１００は、情報処理装置１０に内蔵されるＣＰＵ、ＲＡＭなどのハードウェアを用いて、情報処理装置１０の動作を全般的に制御する。また、図２に示したように、制御部１００は、アプリ認証部１０２、明細取得制御部１０４、操作認識部１０６、表示制御部１０８、および繰越制御部１１０を有する。
【００４６】
［３−１−２．アプリ認証部１０２］
アプリ認証部１０２は、制御部１００による通帳アプリケーション起動時に、所定の認証方式で、利用者により入力される認証情報を認証する。この際、アプリ認証部１０２は、記憶部１２４に記憶されている通帳アプリ認証ＤＢ１２５から抽出した認証データを参照して、ユーザのログインの正当性を判断する。アプリ認証部１０２によりユーザのログインの正当性が確認されると、制御部１００は通帳アプリケーションを起動する。通帳アプリケーションの起動により、金融機関の明細データに基づく通帳表示等が可能となる。
【００４７】
［３−１−３．明細取得制御部１０４］
明細取得制御部１０４は、明細データを上位装置であるＩＢサーバ２０から取得する機能を有する。明細取得制御部１０４は、通帳アプリケーションが起動した場合に、当該通帳アプリケーションの一機能として用いられる。具体的には、明細取得制御部１０４は、通信部１２０から、通信網１２、中継サーバ３０、および専用網１４を介して銀行システム２にアクセスし、明細ＤＢ２１に格納されている明細データを、ＩＢサーバ２０からダウンロードする。ダウンロードされた明細データは、銀行明細ＤＢ１２７に格納される。
【００４８】
ここで、銀行明細ＤＢ１２７には、明細データとして、例えば取引明細番号、取引日時、取引種別、取引内容、取引金額、および口座残高が対応づけて記憶される。また、銀行明細ＤＢ１２７は、複数口座の明細データ（例えば複数銀行の口座、同一銀行の異なる口座等）を記憶してもよい。
【００４９】
また、銀行明細ＤＢ１２７に記憶されている各口座を管理するための口座情報が口座ＤＢ１２８に格納される。さらに、表紙ＤＢ１２９には、それぞれの口座情報の通帳画像を表示する際の表紙画像が記憶されている。
【００５０】
−口座ＤＢ１２８−
ここで、図３を参照して口座ＤＢ１２８のデータ構成例について説明する。図３は、口座ＤＢ１２８に記憶されている口座データの一例を示す図である。図３に示すように、口座ＤＢ１２８には、例えば通帳名称、銀行名、種別、店番、および口座番号が対応づけて記憶されている。
【００５１】
例えば、図３の１レコード目のデータは、通帳名称が「通帳１」であり、銀行名が「○○」であり、口座の種別が「普通」であり、店番が「１２３」であり、口座番号が「１２３４５６７」であることを示している。
【００５２】
また、図３の２レコード目のデータは、通帳名称が「通帳２」であり、銀行名が「○○」であり、口座の種別が「定期」であり、店番が「２３４」であり、口座番号が「２３４５６７８」であることを示している。
【００５３】
［３−１−４．操作認識部１０６］
操作認識部１０６は、操作表示部１２２に表示された表示画面における利用者の各種操作（タッチ、タップ、長押し、フリック等）を認識する。例えば、図６に示すメニュー画像４０が表示されている表示画面において、利用者により明細データＤＬボタン４０２がタップ操作された場合には、操作認識部１０６は、当該タップ操作を、明細データのダウンロードを指示するための利用者の操作として認識する。
【００５４】
［３−１−５．表示制御部１０８］
表示制御部１０８は、利用者の口座の通帳画像を後述する操作表示部１２２に表示させることが可能である。なお、口座の通帳画像は、表紙画像、および取引明細画像の順に配列された画像である。また、口座の通帳画像は、紙の通帳に記載される内容とほぼ同じ内容を表示する画像である。
【００５５】
例えば、表示制御部１０８は、第１の機能として、予め利用者により情報処理装置１０にダウンロードされている通帳アプリケーションの起動時において、通帳アプリケーションの指示に従って、メニュー画像、または利用者の口座の通帳画像を操作表示部１２２に表示させる。
【００５６】
表紙画像は、例えば口座ＤＢ１２８と表紙ＤＢ１２９に記憶されているデータを参照して生成され得る。すなわち、表示制御部１０８は、口座ＤＢ１２８に記憶されている口座データに含まれる銀行名、種別、店番、口座番号を、表紙ＤＢ１２９に記憶されている表紙画像と共に表示する。また、取引明細画像は、銀行明細ＤＢ１２７に記憶されている銀行明細データに基づいて生成される。
【００５７】
また、表示制御部１０８は、第２の機能として、繰越通帳管理ＤＢ１３０に記憶されている繰越通帳管理データを参照して繰越通帳の表紙画像を生成し、操作表示部１２２に表示させる。また、繰越通帳の取引明細画像は、繰越明細ＤＢ１３１に記憶されている繰越明細データに基づいて生成される。
【００５８】
［３−１−６．繰越制御部１１０］
繰越制御部１１０は、通帳繰越指示に応じて、口座ＤＢ１２８に記憶されている対象口座の口座情報を引き継ぐ子口座情報（繰越口座情報）と、銀行明細ＤＢ１２７に記憶されている対象口座の明細データのうち指定された一部から形成された子口座明細データ（繰越明細データ）とを生成し、生成した繰越口座情報および繰越明細データを繰越通帳情報として記憶部１２４（繰越通帳管理ＤＢ１３０、繰越明細ＤＢ１３１）に記憶するよう制御する。
【００５９】
また、繰越制御部１１０は、親口座（繰越元の口座）の表紙画像を、子口座（繰越口座）の表紙画像に引き継ぐよう上記子口座情報（繰越口座情報）を生成してもよいし、指定された画像に親口座の口座情報から引き継いだ子口座情報を重畳表示した表紙画像を設定してもよい。
【００６０】
−繰越通帳管理ＤＢ１３０−
ここで、図４を参照して繰越通帳管理ＤＢ１３０のデータ構成例について説明する。図４は、繰越通帳管理ＤＢ１３０に記憶されている繰越通帳管理データの一例を示す図である。図４に示すように、繰越通帳管理ＤＢ１３０には、例えば繰越番号、通帳名称、元通帳、明細参照先、および通帳表紙画像が対応づけて記憶されている。
【００６１】
例えば、図４の１レコード目のデータは、繰越番号が「００１」であり、通帳名称が「太郎１歳」であり、元通帳が「通帳１」であり、明細参照先が「繰越明細（１）」（繰越明細（１）ＤＢ１３１−１）であり、通帳表紙画像が「C\:taro1\hyoushi001.jpg」であることを示している。
【００６２】
−繰越明細ＤＢ１３１−
繰越明細ＤＢ１３１は、繰越制御部１１０により銀行明細ＤＢ１２７に記憶されている明細データの一部から形成される繰越明細データを記憶する。繰越明細データは、繰越通帳毎に別ファイルで生成されるため、例えば図２に示すように、複数の繰越明細ＤＢ１３１（繰越明細（１）ＤＢ１３１−１、繰越明細（２）ＤＢ１３１−２、繰越明細（３）ＤＢ１３１−３）が存在する。
【００６３】
［３−１−７．通信部１２０］
通信部１２０は、本発明における取得部の一例である。通信部１２０は、通信網１２を介して通信網１２に接続された各種の装置との間で情報を送受信する。例えば、通信部１２０は、制御部１００の指示に従って、利用者の口座に対応づけて登録されている明細データの取得要求をＩＢサーバ２０へ送信する。また、通信部１２０は、明細データをＩＢサーバ２０から受信する。
【００６４】
［３−１−８．操作表示部１２２］
操作表示部１２２は、本発明における表示部の一例である。表示部は、例えば、液晶ディスプレイ（ＬＣＤ:Liquid Crystal Display）装置や、ＯＬＥＤ（Organic
Light Emitting Diode）装置などにより実現される。操作表示部１２２は、表示制御部１０８の制御に従って、例えば口座の通帳画像など、各種の表示画像を表示画面に表示する。
【００６５】
また、操作表示部１２２は、利用者による情報処理装置１０に対する各種の入力操作を受け付ける。具体的には、表示部に積層されたタッチパネルにより受け付ける。操作表示部１２２は、例えばメニュー画面に表示されたメニューボタンに対する選択操作（タップ操作）を受け付ける。
【００６６】
［３−１−９．記憶部１２４］
記憶部１２４は、各種ソフトウェアや、様々なデータなどを記憶する。例えば、記憶部１２４は、通帳アプリ認証ＤＢ１２５、銀行明細ＤＢ１２７、口座ＤＢ１２８、表紙ＤＢ１２９、繰越通帳管理ＤＢ１３０、繰越明細（１）ＤＢ１３１−１、繰越明細（２）ＤＢ１３１−２、および繰越明細（３）ＤＢ１３１−３を記憶する。
【００６７】
以上、本実施形態による情報処理装置１０の構成について説明した。なお情報処理装置１０の構成は、上述した構成に限定されない。
【００６８】
＜３−２．動作＞
続いて、本実施形態による繰越通帳生成動作および繰越通帳表示動作について、図５〜図１４を参照して順次説明する。
【００６９】
［３−２−１．繰越通帳生成動作］
図５は、本実施形態による繰越通帳の生成動作処理を示すフローチャートである。図３に示すように、まず、ステップＳ１０３において、情報処理装置１０の制御部１００は、操作表示部１２２に対する利用者の操作により、通帳アプリケーションを起動する。この際、表示制御部１０８は、通帳アプリ起動用の認証情報を入力するための認証情報入力画像を操作表示部１２２に表示させて利用者に認証情報を入力させ、アプリ認証部１０２により通帳アプリ起動用の認証が行われる。利用者の正当性が確認されると、制御部１００は通帳アプリケーションを起動する。
【００７０】
次に、ステップＳ１０６において、表示制御部１０８は、メニューを操作表示部１２２に表示する。
【００７１】
‐メニュー画像‐
ここで、図６を参照して、表示制御部１０８によるメニュー画像の表示例について説明する。図６は、メニュー画像の表示例（メニュー画像４０）を示した説明図である。
【００７２】
図６に示したように、メニュー画像４０は、例えば明細データＤＬボタン４０２、通帳１表示ボタン４０４、通帳２表示ボタン４０５、パスワード変更ボタン４０６、および終了ボタン４１６を含む。
【００７３】
明細データＤＬボタン４０２がタップされると、銀行システム２からの明細データのダウンロードが開始され、通帳１表示ボタン４０４がタップされると通帳１（図３参照）の通帳画像が表示され、通帳２表示ボタン４０５がタップされると通帳２（図３参照）の通帳画像が表示される。また、パスワード変更ボタン４０６がタップされると、通帳アプリケーションの認証に用いられていた認証情報であるパスワード情報の変更画像が表示される。そして、終了ボタン４１６がタップされると、通帳アプリケーションが終了される。
【００７４】
次いで、ステップＳ１０９において、操作認識部１０６は、メニュー画像４０に含まれる通帳１表示ボタン４０４または通帳２表示ボタン４０５に対するタップ操作を認識する。
【００７５】
次に、ステップＳ１１２において、表示制御部１０８は、選択された通帳の通帳画像のうち最初に配列されている表紙画像を操作表示部１２２に表示する。
【００７６】
次いで、ステップＳ１１５において、表紙画像に対するフリック操作が操作認識部１０６により認識されると、表示制御部１０８は、表紙画像を取引明細画像に切り替えて操作表示部１２２に表示させる。
【００７７】
‐取引明細画像‐
ここで、図７を参照して、表示制御部１０８による取引明細画像の表示例について説明する。図７は、取引明細画像の表示例（取引明細画像４４）を示した説明図である。なお、取引明細画像は、紙の通帳における取引明細ページに対応する画像であり、口座の通帳画像において２ページ目以降に表示される。
【００７８】
取引明細画像４４には、銀行明細ＤＢ１２７に記憶される対象通帳口座の明細データが表示される。取引明細画像４４には、例えば取引日、取引内容、取引金額（支払金額・預かり金額）、口座残高、および備考欄などが表示される。また、取引明細画像４４は、取引明細行の表示領域外に、現在表示されている通帳の一部の明細データを繰り越すための通帳繰越ボタン４４０を含む。
【００７９】
次に、ステップＳ１１８において、操作認識部１０６は、取引明細画像４４における通帳繰越ボタン４４０に対して例えばタップや長押しなどの利用者による操作を認識し、認識結果を表示制御部１０８に出力する。
【００８０】
次いで、ステップＳ１２１において、表示制御部１０８は、繰り越す期間を選択するための繰越期間入力画像を操作表示部１２２に表示し、繰越期間入力画像への入力に基づいて、操作認識部１０６により繰越期間の選択（入力）が受け付けられる。操作認識部１０６は、受け付けた繰越期間の情報を繰越制御部１１０に出力する。
【００８１】
次に、繰越期間の入力が終了すると、ステップＳ１２４において、表示制御部１０８は、繰越通帳の表紙を設定するための表紙設定画像を操作表示部１２２に表示し、表紙設定画像への入力に基づいて、操作認識部１０６により表紙画像の設定が受け付けられる。操作認識部１０６は、受け付けた表紙画像の設定情報を繰越制御部１１０に出力する。
【００８２】
次いで、表紙の設定が終了すると、ステップＳ１２７において、表示制御部１０８は、繰越通帳の名称を入力するための通帳名入力画像を操作表示部１２２に表示し、通帳名入力画像への入力に基づいて、操作認識部１０６により通帳名の入力が受け付けられる。操作認識部１０６は、受け付けた通帳名の入力情報を繰越制御部１１０に出力する。
【００８３】
そして、通帳名の入力が終了すると、ステップＳ１３０において、表示制御部１０８は、繰越通帳生成の実行可否を利用者に確認するための確認画像を操作表示部１２２に表示し、確認画像への入力に基づいて、操作認識部１０６により繰越通帳生成の実行可否が受け付けられる。実行が許可されると、繰越制御部１１０は、上記Ｓ１２１〜Ｓ１２７で入力された繰越期間、表紙画像、通帳名に基づいて繰越通帳を生成する。
【００８４】
‐繰越情報の入力画像‐
ここで、図８、図９を参照して、表示制御部１０８による繰越情報の入力画像の表示例について説明する。図８は、繰越期間入力画像４４２の表示例と、表紙設定画像４４４の表示例を示した説明図である。図９は、通帳名入力画像４５０の表示例、確認画像４５２の表示例、および完了画像４５４の表示例を示した説明図である。
【００８５】
図８に示す繰越期間入力画像４４２は、繰越明細データを日付により指定するものであって、例えば繰越開始年月日と繰越終了年月日の入力欄を含む。また、繰越期間入力画像４４２は、「キャンセルボタン」および「次へボタン」を含み、「キャンセルボタン」がタップされると繰越通帳の生成がキャンセルされ、「次へボタン」がタップされると繰越期間の入力が終了して次の表紙設定画像４４４が表示される。なお繰越期間の選択は、図８に示すような繰越開始年月日と繰越終了年月日の指定に限定されず、例えば取引明細画像４４において指定された取引明細行の位置を境にして、当該取引明細行から昇順／降順の全て／所定数の取引明細行（明細データ）を繰越明細データとして選択することも可能である。
【００８６】
図８に示す表紙設定画像４４４は、繰越通帳の表紙画像を設定するものであって、例えば情報処理装置１０内に保存されている任意の画像を、参照ボタン４４５により参照して選択することができる。そして、選択された表紙画像のデータ格納場所（ＵＲＬ）が空欄４４６に示される。また、本実施形態では、元通帳の表紙画像を引き継ぐことも可能である。すなわち、表紙設定画像４４４に含まれる「現在の表紙を使用する」を選択することで、繰越元の通帳（現在表示されている取引明細の口座）の表紙画像を設定することができる。また、表紙設定画像４４４は、「キャンセルボタン」および「次へボタン」を含み、「キャンセルボタン」がタップされると繰越通帳の生成がキャンセルされ、「次へボタン」がタップされると表紙設定が終了して次の通帳名入力画像４５０が表示される。
【００８７】
図９に示す通帳名入力画像４５０は、繰越通帳の通帳名を入力する入力欄を含む。例えば利用者は、「太郎１歳」、「太郎２歳」、「太郎３歳」等の任意の名称を繰越通帳の名称として入力することができる。
【００８８】
図９に示す確認画像４５２は、繰越通帳の生成の実行可否を確認するためのものであって、「通帳繰越を実行してよろしいですか？」といった文言が表示される。利用者は、確認画像４５２に含まれるＯＫボタンをタップして繰越通帳の作成実行を指示する。
【００８９】
図９に示す完了画像４５４は、繰越制御部１１０による繰越通帳の生成（繰越完了）を利用者に通知するものである。完了画像４５４に含まれる完了ボタンがタップされると、通帳繰越処理が終了し、画面は取引明細画像４４に戻る。
【００９０】
‐明細データの移行‐
次に、図１０〜図１４を参照して、繰越制御部１１０による明細データの移行（繰越処理）について説明する。
【００９１】
図１０は、未繰越時の銀行明細ＤＢ１２７に記憶されている繰越元通帳（親通帳）の明細データ例を示す図である。図１０に示すように、銀行明細ＤＢ１２７には、明細番号、取引年月日、取引内容、取引金額（支払金額、預かり金額）、残高、および備考欄が対応づけて記憶されている。
【００９２】
図１１は、一部繰越後の銀行明細ＤＢ１２７に記憶されている繰越元通帳（親通帳）の明細データ例を示す図である。ここでは、一例として図１０に示す明細番号０００１〜０００８の明細データが繰り越された場合を想定する。この場合、繰り越された明細データは銀行明細ＤＢ１２７から削除され、図１１に示すように、明細番号０００９以降の明細データが銀行明細ＤＢ１２７に残る。これにより、元通帳の明細データが増え続けるといった事象を回避することができる。
【００９３】
図１２は、繰越明細（１）ＤＢ１３１−１に記憶されている繰越明細データ例を示す図である。図１２に示すように、繰越明細（１）ＤＢ１３１−１には、明細番号、取引年月日、取引内容、取引金額（支払金額、預かり金額）、残高、および備考欄が対応づけて記憶されている。上述したように、ここでは図１０の未繰越時の銀行明細ＤＢ１２７に格納されていた明細番号０００１〜０００８の明細データが繰り越されたため、図１２に示すように、繰越明細（１）ＤＢ１３１−１は明細番号０００１〜０００８の明細データを格納している。表示制御部１０８は、繰越通帳（１）を表示する際、繰越明細（１）ＤＢ１３１−１に記憶されている繰越明細データを操作表示部１２２に表示する。
【００９４】
以上説明した図１０〜図１２に示す例では、繰越を実行する際に銀行明細ＤＢ１２７に記憶されている元通帳の明細データから繰越明細（１）ＤＢ１３１−１に繰越明細データを移動させたが、本実施形態はこれに限定されない。例えば繰越を実行する際、銀行明細ＤＢ１２７に記憶されている元通帳の明細データに、繰越情報と繰越先を示すデータを保有させることによって、子口座明細データ（繰越明細データ）を作成するようにしてもよい。この場合、図１２に示すような繰越明細（１）ＤＢ１３１−１の作成は不要となる。以下、図１３および図１４を参照して具体的に説明する。
【００９５】
図１３は、未繰越時における元通帳の明細データ例を示す図である。図１３に示す例では、図１０に示す明細データ例に対して、さらに繰越情報欄および繰越先欄が追加されている。図１４は、一部繰越後の元通帳の明細データ例を示す図である。図１４に示す例では、１レコード目から８レコード目までの繰越情報欄が「１」（繰越情報あり）であって、２５年１１月１日（１レコード目）から２５年１２月３１日（８レコード目）までの明細データが繰越制御部１１０により繰り越されたことが示されている。なお「繰越先」に示される情報は、実際には繰越明細（１）ＤＢ１３１−１の作成は行われていないが、複数の繰越先を区別できるよう仮想的に示すものである。表示制御部１０８は、元の通帳の明細データを表示する際、銀行明細ＤＢ１２７に記憶されている明細データから「繰越情報欄」を参照して繰越済の明細データを抜かした取引明細画像を表示するが、全ての明細データを取引明細画像として表示させてもよい。
【００９６】
以上、本実施形態による繰越通帳情報の生成動作について説明した。なお図５に示すフローの順番はこれに限定されず、図５に示す各ステップの順序が異なる順序または同時であってもよい。例えば、Ｓ１２１〜Ｓ１２７が異なる順序または同時であってもよい。また、通帳の表紙画像に通帳繰越ボタン４４０が表示されている場合、Ｓ１１２の次がＳ１１８となる。
【００９７】
また、図８〜図９に示す例では、繰越情報の各入力画像を、取引明細画像４４に重畳表示しているが、本実施形態はこれに限定されず、例えば取引明細画像４４と、各入力画像を並列して表示してもよい。これにより、繰越情報の各入力画像の背景となって隠れてしまうことなく、取引明細画像４４を参照しながら繰越期間の選択や通帳名称等を入力することができる。
【００９８】
また、繰越対象の明細データの選択は日付による指定に限定されず、例えば指定された取引内容（給与振込、公共料金の支払い等）、取引金額、または備考欄のキーワード等を用いて指定することも可能である。また、複数の条件（日付、取引内容、取引金額、または備考欄のキーワード等）を用いて指定することも可能である。さらに、取引明細画像に表示される取引明細のページ数によって指定してもよい。
【００９９】
［３−２−２．繰越通帳表示動作］
続いて、本実施形態による繰越通帳表示動作について図１５〜図１６を参照して説明する。図１５は、本実施形態による繰越通帳の表示動作処理を示すフローチャートである。図１５に示すように、まず、ステップＳ２０３において、情報処理装置１０の制御部１００は、操作表示部１２２に対する利用者の操作により、通帳アプリケーションを起動する。
【０１００】
次に、ステップＳ２０６において、表示制御部１０８は、メニューを操作表示部１２２に表示する。
【０１０１】
次いで、ステップＳ２０９において、操作認識部１０６は、メニュー画像４０に含まれる通帳１表示ボタン４０４または通帳２表示ボタン４０５に対するタップ操作を認識する。
【０１０２】
次に、ステップＳ２１２において、表示制御部１０８は、選択された通帳の通帳画像のうち最初に配列されている表紙画像を操作表示部１２２に表示する。
【０１０３】
次いで、ステップＳ２１５において、表紙画像に対する所定の操作（例えば画面下部から上方へのスライド操作、または右側／左側から中央部へのスライド操作）が操作認識部１０６により認識されると、表示制御部１０８は、隠しメニューの表示を行う。
【０１０４】
‐表紙画像‐
ここで、図１６を参照して、表示制御部１０８による表紙画像の表示例について説明する。図１６は、表紙画像の表示例（表紙画像４２）を示した説明図である。なお、表紙画像は、紙の通帳における表紙に対応する画像であり、口座の通帳画像において１ページ目に表示される。
【０１０５】
図１６に示したように、表紙画像４２は、例えば表紙表示欄と、メニューボタン４２２を含む。表紙表示欄には、例えば、金融機関名、店番、口座番号、および利用者の氏名などが表示される。また、メニューボタン４２２は、図６に示したメニュー画像４０に画面を切り替える場合に利用者が選択するためのボタンである。
【０１０６】
当該通帳に対して繰越通帳が作成されている場合、表紙画像４２に対して、例えば画面下部から上方へ、利用者が指５をスライドする操作を行うと、図１６に示すように、隠しメニュー画像４２４が現れる。隠しメニュー画像４２４は、現在表示されている通帳から繰り越された繰越通帳を選択するための繰越通帳表示ボタン４２５、４２６、４２７を含む。繰越通帳表示ボタン４２５、４２６、４２７は、例えば各繰越通帳の名称であってもよいし、表紙画像のサムネイルであってもよい。
【０１０７】
次に、ステップＳ２１８において、操作認識部１０６は、隠しメニュー画像４２４における繰越通帳表示ボタン４２５、４２６、４２７のいずれかに対して例えばタップや長押しなどの利用者による操作を認識し、認識結果を表示制御部１０８に出力する。
【０１０８】
次いで、ステップＳ２２１において、表示制御部１０８は、選択された繰越通帳の通帳画像のうち最初に配列されている表紙画像を操作表示部１２２に表示する。繰越通帳の通帳画像は、繰越通帳管理ＤＢ１３０、繰越明細ＤＢ１３１を参照して生成され、表示される。
【０１０９】
続いて、ステップＳ２２４において、繰越通帳の表紙画像に対するフリック操作が操作認識部１０６により認識されると、表示制御部１０８は、繰越通帳の表紙画像を、繰越通帳の取引明細画像に切り替えて操作表示部１２２に表示させる。
【０１１０】
次に、ステップＳ２２７において、操作認識部１０６は、取引明細画像における通帳表示終了ボタンに対して例えばタップや長押しなどの利用者による操作を認識し、認識結果を表示制御部１０８に出力する。
【０１１１】
そして、ステップＳ２３０において、表示制御部１０８は、繰越通帳の通帳画像の表示を終了し、繰越元の通帳画像（Ｓ２１２）に切り替えて操作表示部１２２に表示する。なお、図１３、図１４を参照して説明したように、繰越情報を元通帳の明細データに保有したまま子通帳明細を作成した場合（図１４に示す繰越情報欄におけるフラグ処理）、繰越通帳表示ボタン４２５、４２６、４２７の選択操作が行われると、表示制御部１０８は、銀行明細ＤＢ１２７と繰越通帳管理ＤＢ１３０に基づいて、選択された繰越通帳に該当する明細データを抽出して表示する。具体的には、例えば「太郎１歳」の繰越通帳表示ボタン４２５が選択された場合、図４に示す繰越通帳管理データ（繰越通帳管理ＤＢ１３０）を参照し、図１４に示す明細データのうち、繰越先が「明細（１）」になっている明細データ（明細番号０００１〜０００８）を抽出して表示する。
【０１１２】
＜＜４．変形例＞＞
以上説明した実施形態では、元通帳の表紙画像において繰越通帳の表示ボタン４２５〜４２７を含む隠しメニュー画像４２４が現れる場合について説明したが、本実施形態による繰越通帳の表示指示方法はこれに限定されない。以下、図１７〜図１８を参照して複数の変形例について説明する。
【０１１３】
＜４−１．変形例１＞
図１７は、変形例１によるメニュー画像の他の表示例（メニュー画像４６）を示した説明図である。図１７に示すように、通帳アプリ起動後に操作表示部１２２に表示されるメニュー画像４６において、通帳１表示ボタン４０４を選択すると、通帳１を表示させるための表示ボタンと、通帳１から繰り越された繰越通帳を表示させるための表示ボタンとを含むメニュー画像４６２がポップアップ表示される。繰越通帳を表示させるための表示ボタンは、図１７に示すような各繰越通帳の表紙画像のサムネイルであってもよいし、各繰越通帳の名称であってもよい。
【０１１４】
これにより、繰越元の通帳画像を表示するステップ（図１５のＳ２１２）を省略することができる。
【０１１５】
＜４−２．変形例２＞
図１８は、変形例２によるメニュー画像の他の表示例（メニュー画像４８）を示した説明図である。図１８に示すように、通帳アプリ起動後に操作表示部１２２に表示されるメニュー画像４８は、通帳１表示ボタン４０４と関連付けられた、通帳１から繰り越された繰越通帳を表示させるための繰越通帳表示ボタン４０８、４０９、４１０を含む。
【０１１６】
これにより、繰越元の通帳画像を表示するステップ（図１５のＳ２１２）、および繰越通帳を選択するためのメニュー画像を表示するステップ（図１５のＳ２１５）を省略することができる。
【０１１７】
＜＜５．まとめ＞＞
以上説明したように、本実施形態による情報処理装置１０は、通帳アプリケーションにおいて取り扱われる一つの口座の取引明細の一部を、元口座の口座情報を引き継ぐ別の口座の情報として繰り越すことが可能である。これにより、一つの口座の明細データが膨大な量になり、１冊の通帳として閲覧する際のページめくり操作の負荷や、目的の日付の取引明細に辿り着くまでに時間を要するといった問題に対して、例えば指定した期間の明細データのみを別の通帳として保管することができるので、より効率的に明細データの管理を行うことができる。
【０１１８】
また、繰り越した通帳（子通帳）に、元通帳の口座情報と表紙画像を引き継がせることで、繰越通帳の表紙画像の表示時に、元通帳との関連性を利用者に直感的に把握させることができる。
【０１１９】
また、繰り越した通帳に、元通帳の口座情報を引き継がせ、表紙画像には任意に選択した画像を設定することも可能である。
【０１２０】
また、繰り越した所定期間の明細データはそのまま「通帳」としてのインターフェースを損なうことなく保管することができるので、利用者の「通帳形式で保存しておいていつでも閲覧できるようにしたい」というニーズに対応することもできる。
【０１２１】
また、通帳繰越期間および表紙画像の任意の設定が実現されることで、例えば子供の通帳を１年単位で毎年繰越して子供の当時の写真を表紙として設定することにより、思い出の一冊としての通帳保管が実現する。また、小学校・中学校・高校などの節目で一冊の通帳を繰り越して保管することも可能である。これにより、通帳アプリケーションの利用に対する付加価値を利用者に提供することができる。
【０１２２】
また、繰越処理後、元通帳の明細データにおいて、繰り越された明細データが判別できるよう繰越情報を対応付けておくことで、元通帳の明細データを表示する際に繰越済の明細データを非表示にし、膨大なページが表示されることを回避することができる。
【０１２３】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２４】
例えば、本実施形態による情報処理装置１０は、元通帳の全ての明細データを繰り越す全繰越も可能である。この場合、繰り越した元通帳の明細データは削除し、繰り越した通帳を旧通帳（過去の明細データを含む通帳）、元通帳を新通帳（新たにダウンロードした明細データが保存される通帳）として生成することができる。
【０１２５】
また、通常、紙の通帳が一杯になって新通帳に繰り越す際、新通帳の表紙は設定可能であるが、既に生成されている旧通帳の表紙を変更することはできないが、上記新旧の通帳を生成した際には、新通帳（元通帳）／旧通帳（繰越通帳）の表紙画像を設定することが可能である。例えば、旧通帳に新たに表紙画像を設定し、新通帳には元通帳の表紙画像のままとされてもよい。
【０１２６】
また、各取引明細行の幅は、利用者が指でタッチできる程度の幅で表示される。
【０１２７】
また、本発明の実施形態によれば、ＣＰＵ、ＲＯＭ、およびＲＡＭなどのハードウェアを、上述した情報処理装置１０の各構成と同等の機能を発揮させるためのコンピュータプログラムも提供可能である。また、該コンピュータプログラムが記録された記録媒体も提供される。
【符号の説明】
【０１２８】
１０  情報処理装置
１２  通信網
１４  専用網
２０  ＩＢサーバ
２１  明細ＤＢ
３０  中継サーバ
１００  制御部
１０２  アプリ認証部
１０４  明細取得制御部
１０６  操作認識部
１０８  表示制御部
１１０  繰越制御部
１２０  通信部
１２２  操作表示部
１２４  記憶部
１２５    通帳アプリ認証ＤＢ
１２７    銀行明細ＤＢ
１２８    口座ＤＢ
１２９    表紙ＤＢ
１３０    繰越通帳管理ＤＢ
１３１    繰越明細ＤＢ
【図１】
2015162146.tif 000003
【図２】
2015162146.tif 000004
【図３】
2015162146.tif 000005
【図４】
2015162146.tif 000006
【図５】
2015162146.tif 000007
【図６】
2015162146.tif 000008
【図７】
2015162146.tif 000009
【図８】
2015162146.tif 000010
【図９】
2015162146.tif 000011
【図１０】
2015162146.tif 000012
【図１１】
2015162146.tif 000013
【図１２】
2015162146.tif 000014
【図１３】
2015162146.tif 000015
【図１４】
2015162146.tif 000016
【図１５】
2015162146.tif 000017
【図１６】
2015162146.tif 000018
【図１７】
2015162146.tif 000019
【図１８】
2015162146.tif 000020